(57)【要約】【課題】施術中でも温度表示部を容易に確認でき、施術者が煩わしさを感じることのないヘアアイロンを提供することを課題とする。【解決手段】２本の細長い板状である開閉部材１を有し、上記の両開閉部材１の基端部分にはヒンジ２が設けられ、このヒンジ２を中心とした所定範囲内において、両開閉部材１が回動可能となるように接続されたものであり、両開閉部材１の基端部分においては、施術者が手で握るためのグリップ部３を備え、両開閉部材１の先端部分においては、他方の開閉部材１に対向する側の面に、電気ヒータを内蔵する加熱部４を備えたものであり、両開閉部材１の加熱部４は、上記のヒンジ２により接近離反が可能とされており、一方側の開閉部材１のグリップ部３における、他方側の開閉部材１のグリップ部３に対向する側の面には、加熱部４の温度を示す温度表示部５が設けられたことを特徴とするヘアアイロンを提供する。【選択図】          図３
0003102186.tif 000002
【実用新案登録請求の範囲】
【請求項１】
２本の細長い板状である開閉部材（１）を有し、
上記の両開閉部材（１）の基端部分にはヒンジ（２）が設けられ、このヒンジ（２）を中心とした所定範囲内において、両開閉部材（１）が回動可能となるように接続されたものであり、
両開閉部材（１）の基端部分においては、施術者が手で握るためのグリップ部（３）を備え、
両開閉部材（１）の先端部分においては、他方の開閉部材（１）に対向する側の面に、電気ヒータを内蔵する加熱部（４）を備えたものであり、
両開閉部材（１）の加熱部（４）は、上記のヒンジ（２）により接近離反が可能とされており、
一方側の開閉部材（１）のグリップ部（３）における、他方側の開閉部材（１）のグリップ部（３）に対向する側の面には、加熱部（４）の温度を示す温度表示部（５）が設けられたことを特徴とするヘアアイロン。
【請求項２】
上記の温度表示部（５）が、グリップ部（３）において、長手方向の中央よりも先端側に設けられたことを特徴とする、請求項１に記載のヘアアイロン。
【考案の詳細な説明】
【技術分野】
【０００１】
本願考案は、美容室などで用いるヘアアイロンに関するものである。
【背景技術】
【０００２】
【特許文献１】特開２００１−１３７０３８号公報
【０００３】
従来から、特許文献１に記載の「Ｖ字型ヘアアイロン」のような形態の、被施術者の頭髪を挟みつけて加熱施術するための、鋏形のヘアアイロンが存在している。
【０００４】
このような鋏形のヘアアイロンは、電気ヒータを内蔵した加熱部を、先端部分に対向するように配位した２つの開閉部材を備えたものであり、この開閉部材の基端側がヒンジにより回動可能とされたものである。施術者は、この開閉部材の基端部分であるグリップ部を握ることにより、開閉部材の先端部分に存在する加熱部を、被施術者の頭髪に当てて施術することができる。
【０００５】
このヘアアイロンの加熱部に給電するための電源コードは、開閉部材の基端部分に設けられており、加熱部の温度調整スイッチやパイロットランプなどの操作・表示手段は、電源コードの途中に設けられていた。
【０００６】
また、上記以外のものとして、操作・表示手段を開閉部材の外側表面に設けたものも存在している。
【０００７】
ここで、適切な施術を行うために、加熱部の温度がどのくらいであるかを施術者が把握し、スイッチを切り替えるなどして制御する必要がある。よって、ヘアアイロンに、例えばデジタル表示などで温度を表示する温度表示部を設けることが望ましい。
【考案の開示】
【考案が解決しようとする課題】
【０００８】
ここで、この温度表示部を、従来から存在している操作・表示手段と一緒に設けることがまず考えられる。しかし、特許文献１に記載のヘアアイロンのように、電源コードの途中に設けた場合においては、施術者が温度確認のためにいちいち視線を移動させなければならないという問題がある。
【０００９】
また、温度表示部を開閉部材の外側表面に設けることが考えられる。まず、グリップ部の位置に設けた場合においては、グリップ部を握る施術者の手が温度表示部を隠してしまうため、温度確認のために、施術者がいちいちグリップ部を握り替えなければならない。このような握り替えの作業はなんでもないように一見思えるが、施術者の施術のリズムを狂わせ、良好で迅速の施術作業に悪影響を与えてしまう。また、開閉部材の加熱部に相当する部分の外側表面側に設けた場合においては、被施術者の頭髪に温度表示部が隠されてしまうことや、加熱部の熱の影響を受けて温度表示部が誤作動する可能性があるという問題がある。
【００１０】
本願考案は上記の問題に鑑み、施術中でも温度表示部を容易に確認でき、施術者が煩わしさを感じることのないヘアアイロンを提供することを課題とする。
【課題を解決するための手段】
【００１１】
上記課題を解決するために、本願第１の考案は、２本の細長い板状である開閉部材１を有し、上記の両開閉部材１の基端部分にはヒンジ２が設けられ、このヒンジ２を中心とした所定範囲内において、両開閉部材１が回動可能となるように接続されたものであり、両開閉部材１の基端部分においては、施術者が手で握るためのグリップ部３を備え、両開閉部材１の先端部分においては、他方の開閉部材１に対向する側の面に、電気ヒータを内蔵する加熱部４を備えたものであり、両開閉部材１の加熱部４は、上記のヒンジ２により接近離反が可能とされており、一方側の開閉部材１のグリップ部３における、他方側の開閉部材１のグリップ部３に対向する側の面には、加熱部４の温度を示す温度表示部５が設けられたことを特徴とするヘアアイロンを提供する。
【００１２】
また、本願第２の考案は、上記の温度表示部５が、グリップ部３において、長手方向の中央よりも先端側に設けられたことを特徴とする、請求項１に記載のヘアアイロンを提供する。言い換えれば、温度表示部５は、グリップ部３において、ヒンジ２と加熱部４との間の中央位置よりも、加熱部４寄りの位置に設けられたものである。
【考案の効果】
【００１３】
本願の請求項１に係る考案の実施にあっては、グリップ部３の内面側の部分に温度表示部５が設けられたことにより、施術中でも温度表示部５を容易に確認でき、施術者が煩わしさを感じることがなく、また、加熱部４の熱の影響を受けて温度表示部５が誤作動する可能性の少ないヘアアイロンを提供できたものである。
【００１４】
また、本願の請求項２に係る考案の実施にあっては、上記の効果に加え、温度表示部５が、グリップ部３において、長手方向の中央よりも先端側に設けられたことにより、施術者がグリップ部３を握る手をわずかに緩めるだけで、温度表示部５を視認可能とできる。
【考案を実施するための最良の形態】
【００１５】
以下、図面に基づき本願考案の実施の形態の一例をとりあげて説明する。図１は、本例に係るヘアアイロンを示す斜視図であり、図２は、同ヘアアイロンの分解斜視図であり、図３は同ヘアアイロンの使用状態を示す斜視図である。
【００１６】
本例に係るヘアアイロンは、細長い板状である開閉部材１を有するものである。
この開閉部材１は、２本を１組として用いられるものであって、各々の開閉部材１の基端部分の一部がヒンジ２とされており、このヒンジ２を中心とした所定範囲内において、両開閉部材１が図示の上下方向に回動可能となるように接続され、ヒンジ２を中心としたＶ形の外観となっている。また、このヒンジ２にはばねが内蔵されており、両開閉部材１を開放する方向に常時付勢している。よって、施術者が、後述するグリップ部３を握った際には、両開閉部材１が閉じられ、被施術者が手を離した際には、両開閉部材１が開く。
【００１７】
そして、開閉部材１の基端部分からは電源コード６が伸ばされている。この電源コード６は、後述する加熱部４のセラミックヒータ４２に給電するためのものである。
また、両開閉部材１の基端部分、具体的には、後述する加熱部４の存在する範囲よりも基端寄りの範囲である部分は、施術者が手で握るためのグリップ部３である。このグリップ部３の表面側（図示上面側）には通電スイッチ１１ａが、側面側（図示手前側）には温度設定スイッチ１１ｂと運転モード切替スイッチ１１ｃとが設けられている。
【００１８】
両開閉部材１の先端部分であり、Ｖ形形状の内側部分、つまり他方側の開閉部材１に対向する側の面には、発熱する部分である加熱部４を備えている。この加熱部４は、図２に示すように、表面側からヒータプレート４１、セラミックヒータ４２、板ばね４３の順に配位されたものである。セラミックヒータ４２は、上記の電源コード６からの給電により発熱するものであり、セラミックヒータ４２から発生した熱は、板ばね４３の付勢により常時当接するように配位されたヒータプレート４１に伝達され、ヒータプレート４１に接した頭髪に作用する。
上記のように、両開閉部材１にはヒンジ２が設けられているため、両開閉部材１の開閉に伴って、加熱部４が接近離反可能である。
【００１９】
なお、本例におけるヒータプレート４１は、図２の上側に示したものは凸形、下側に示したものは凹形に形成されており、被施術者の頭髪を挟みこんだ際に、湾曲する形態である。なお、このヒータプレート４１の表面の形状については、本例のような湾曲したものに限られるものではなく、平面形状や、表面に細かい溝を多数形成し、波打つようなものとしても良い。
【００２０】
そして、図１に示すように、一方側の開閉部材１のグリップ部３における内面側、つまり、他方側の開閉部材１のグリップ部３に対向する側の面には、加熱部４の温度を示すための温度表示部５が設けられている。本例では、加熱部４から離れた位置、具体的には、加熱部４の基端側の端部から約４cmの位置に設けられている。
この温度表示部５は、加熱部４に内蔵された温度センサー（図示しない）で感知した温度を表示するものであり、図示のように具体的な温度を数字で表示するものとしても良いし、温度が高い目か低い目かだけを、ＬＥＤにて色分けにより表示したり、点灯数により区別して表示しても良い。
【００２１】
このように温度表示部５を設けることにより、施術者がいちいちグリップ部３を握り替えることなく、グリップ部３を握っていた手を緩めるだけで、施術者が温度表示部５を視認可能とできる（図３参照）。グリップ部３を握っていた手ａを緩めるという動作は、頭髪ｂを挟み替える動作と全く同じであり、施術者のリズムを狂わせることがない。しかも、頭髪ｂを挟み替えるたびに温度表示部５を見ることによって、常に適温で新たな頭髪の加熱処理を行うことを確認できる。このように、施術中でも温度表示部５に表示された温度を容易に確認でき、施術者が煩わしさを感じることがなく、快適に施術でき、かつ常に適切な温度で加熱処理を行うことができる。
【００２２】
なお、この温度表示部５は、グリップ部３における、長手方向の中央よりも先端側の位置に設けられている。よって、温度表示部５をグリップ部３の基端部分に設けた場合に比べ、施術者がわずかに手を緩めるだけで温度表示部５を視認可能とできる。
また、温度表示部５が、開閉部材１の加熱部４に相当する部分の外側表面側には設けられないため、加熱部４の熱の影響を受けて温度表示部５が誤作動する可能性も少ない。
【図面の簡単な説明】
【００２３】
【図１】本願考案の実施の形態の一例に係るヘアアイロンを示す斜視図である。
【図２】同ヘアアイロンの分解斜視図である。
【図３】同アアイロンの使用状態を示す斜視図である。
【符号の説明】
【００２４】
１        開閉部材
２        ヒンジ
３        グリップ部
４        加熱部
５        温度表示部
【図１】
0003102186.tif 000003
【図２】
0003102186.tif 000004
【図３】
0003102186.tif 000005